(57)【特許請求の範囲】
【請求項１】
キャビネットと、
該キャビネットの前面板に装着した１個のスピーカと、
該スピーカの略中心で、前記キャビネットの前面板と直交するように設けた仕切板と、を備え、
前記仕切板によって、前記キャビネット内は少なくとも２分割され、前記２分割された一方のキャビネット領域には、その底面に第１の開口部が設けられ、
前記２分割された他方のキャビネット領域には、その背面に第２の開口部が設けられ、
前記キャビネットの外側及び前記仕切板に木材を用い、その表面をラッカ等の塗料で鏡面仕上げして、前記キャビネット全体を共鳴拡声体とし、
前記キャビネットの前面板側の底面を床面に対して所定角度傾斜させることにより、
前記第１の開口部より中低音が放音され、前記第２の開口部より中高音が放音されるようにしたことを特徴とする放音装置。
【請求項２】
前記キャビネットの所定傾斜角度は略１５°であることを特徴とする請求項１に記載の放音装置。
【請求項３】
前記キャビネットの底面に設けた第１の開口部は、前記スピーカの略真下に台形状に形成され、該台形状の第１の開口部の面積は、前記スピーカの振動板の水平断面の８０％に選択してなることを特徴とする請求項１または２に記載の放音装置。
【発明の詳細な説明】
【０００１】
【発明の属する技術分野】
本発明は電気ギター用拡声装置に用いて好適な放音装置に係わり、特に、放音装置をスピーカキャビネットとして利用するだけでなく電気ギターの共鳴拡声体として使用可能な放音装置に関する。
【０００２】
【従来の技術】
従来から、電気ギター用拡声装置（以下、ギターアンプと記す）に用いられているキャビネット（エンクロージャー）は演奏される音楽内容に応じて使い分けがされている。
【０００３】
即ち、後面開放箱型バフル及び密閉型バフル並びに位相反転型バフル構造のキャビネット等が用いられ、後面開放箱型バフルではスピーカの駆動能率が良く、音がスピーカの前方に飛び出し、明るく活力のある、アメリカン・サウンドの再生に向いている。一方この構造の欠点は低域の再生が不足するため、一般的にはアンプ側のイコライザで低域補正を行なっている。
【０００４】
また、密閉型バフルはスピーカの駆動能率が悪く、ライブ等の大きな音の再生用に主に利用され、キャビネット内には３０ｃｍ口径のスピーカを４本入れたものが殆どでブリティッシュ・ロック等のハードな音を出すミュージシャンの利用が多い。
【０００５】
更に位相反転バフル型（バスレフ）は９９％がベースギターアンプでの利用であり、低域再生時の不足をバスレフによって補強している。このバスレフ型のキャビネットはギターアンプとしての利用は全く無い、その理由は、ダクトから再生される低音の音質がスピーカから再生される音質と似つかないものと成りかねないためと思われる。
【０００６】
従って、ギターアンプとしては殆どが後面開放箱型バフルか密閉バフル型が用いられている。
【０００７】
また、この様なギターアンプのキャビネットを構成する木材は板厚が１８ｍｍ乃至２５ｍｍと厚手で、外装は、傷等が付き難くするため一般のオーディオ・スピーカ装置と同様に不要な共振を避ける目的から布張り又は各種レーザ（ビニール・レーザ）張りと成し、キャビネットのコーナー部には金属製のコーナー金具で補強し、スピーカ及びアンプ回路等をキャビネットに内蔵させたものが多く利用されている。
【０００８】
【発明が解決しようとする課題】
上述の如き、従来のギターアンプを通じて、放音すると、元の楽器、例えば電気ギターが生成する音響表現である、音色変化、響き、各方位への音放射が充分に再生されないと云う問題が生ずる。
【０００９】
今、上述の問題をギター（通称、生ギター）と電気ギターについて考察すると、通常ギターでは木箱で構成した胴体を共鳴拡散体とし、単振動する弦が奏でる基本音と、胴体形状によって定まる倍音の含有率が時間的に減衰した合成音を含有する固有音色として、胴体から各方位に向けて倍音含有率の異なる、位相の異なる音が放射されて、ギター固有の響きを形成している。
【００１０】
一方、電気ギターの場合は弦の振動は共鳴箱又は単板から成る共鳴体上で弦の下に置かれた振動電気変換器（ピックアップ）上を金属性弦が振動することで振動を電気信号に変換しギターアンプを介して楽音を放音しているので、ギターの様に共鳴拡散体と成る胴体から放射される楽器固有の音色変化、響き、各方位への音放射を表現することが難しく成っている。
【００１１】
即ち、単一個所でピックアップした弦振動を単一方向に対して音響エネルギーとして放射しているため、生ギターの様な各部各所が各方位に各種放射している状況とは全く異なる音を音源として拡声していると言える。
【００１２】
また、例え共鳴箱を持った電気ギターでも、その共鳴箱から再生される音は、ギターアンプから拡声される実際上の音よりかなり小さく成るので、その本来の表現をすべて再現する事は、不可能と言える。
しかし、電気ギターでピックアップした弦振動信号は、共鳴板により共振して合成された倍音含有音の影響を弦が受け、結果的には、生楽器に近い倍音変化や響きを電気信号としては持っている。
【００１３】
従って、本発明が解決しようとする課題はピックアップによって、振動電気変換された楽器音響信号を生ギターが本来持つ特徴である、倍音変化が豊かで、響きがあり、各方位への音響エネルギーの放射が豊かなギターアンプ（スピーカ及びキャビネット並びにアンプを含む）となる生楽器に近い音響再生が可能な放音装置を提供することを目的とするものである。
【００１４】
また、ギターアンプに用いられるキャビネットは上述の様に主に後面開放箱型バフル及び密閉型バフル並びにバスレフ型と成るが、キャビネットは堅固な厚手の木材から成る非共鳴部材で構成され、音響エネルギーはスピーカの取付中心点から同心円上に放音されるため、本来の生ギターの胴体から放音される様な放射音もなく、高域はキャビネット表面に被覆した布等で抑圧され、且つ倍音再生の少ない電気的再生音に近い楽音信号となって放音される。従って、本発明が解決しようとする第２の課題はキャビネット（エンクロージャー、スピーカボックス、ケーシング、筐体と同義語）に改良を加えて、キャビネットから各方位への音響放射を増加させ、高音域が吸収されず、高域（倍音）再生能力を向上させ、中低音域エネルギーを各方位に放射可能な放音装置を得ることを目的とするものである。
【００１５】
【課題を解決するための手段】
上記課題を解決するため、本願請求項１に係る放音装置の発明は、キャビネットと、該キャビネットの前面板に装着した１個のスピーカと、該スピーカの略中心で、キャビネットの前面板と直交するように設けた仕切板と、を備え、この仕切板によって、キャビネット内を少なくとも２分割させ、２分割した一方のキャビネット領域には、その底面に第１の開口部が設けられ、２分割した他方のキャビネット領域には、その背面に第２の開口部が設けられ、このキャビネットの外側及び仕切板に木材を用い、その表面をラッカ等の塗料で鏡面仕上げして、キャビネット全体を共鳴拡声体とするとともに、キャビネットの前面板側の底面を床面に対して所定角度傾斜させることにより、この第１の開口部より中低音が放音され、第２の開口部より中高音が放音されるようにしたことを特徴としている。
【００１９】
請求項２に係る発明は、請求項１に記載の放音装置におけるキャビネットの所定傾斜角度を略１５°としたことを特徴としている。もちろん、１５°丁度にしなければならないのではなく、略１５°にすることにより、第１の開口部から中低音が効果的に放音されるのである。
【００２０】
請求項３に係る発明は、請求項１または２に記載した発明の放音装置において、キャビネットの底面に設けた第１の開口部は、スピーカの略真下に台形状に形成されており、該台形状の第１の開口部の面積は、前記スピーカの振動板の水平断面の８０％に選択してなることを特徴としている。
【００２１】
請求項１〜３に記載の放音装置によれば、１つのスピーカを内蔵したキャビネットから増加させた複数の音の放射口を介して、各方位への音響放射を増大させることで楽器と同様の豊かな倍音変化を有する位相の異なる音響エネルギーを放射するので放射能率が向上する。しかも、高調波成分をキャビネット表面で反射させ、キャビネットの軽量化を図り、キャビネットを共鳴体として機能させて高調波再生能率を向上させたので、音色変化、響き、各方位への音放射は生ギター等の楽器に近い音響再生が可能な放音装置が得られる。
【００２２】
【発明の実施の形態】
以下、本発明の１形態例を示す原理的構成を図１及び図２を用いて説明する。
【００２３】
図１（Ａ）（Ｂ）は本発明の放音装置１のスピーカをバッフル板に取り付けた場合の正面図及び側断面図を示すものであり、図２（Ａ）は本発明の放音装置の一部を断面とする正面図、図２（Ｂ）は図２（Ａ）のＡ−Ａ断面矢視図、図２（Ｃ）は本発明の放音装置の等価回路図である。
【００２４】
図１の放音装置は略矩形状のバッフル板２の略中心位置にスピーカ３の口径に対応した開口部５が穿たれた有限のバッフル板２にスピーカ３を開口部５と対向する様に固定し、更に、開口部５或はスピーカ３の振動板１０の中心Ｏを通ってバッフル板２の垂直面と直交し、矩形状バッフル板２の短辺方向と平行になる様に仕切板４を固定し、少なくともバッフル板２を上下領域に２分割する。
【００２５】
この状態でスピーカ３を駆動すればスピーカ３の開口部５から放射される同心円状の音響放射エネルギーの他にバッフル板２の仕切板４の下側の領域から少なくとも前方及び後方に放射される音響放射エネルギーＦF1及びＦB1と仕切板４の上側の領域から前方及び後方に放射される音響放射エネルギーＦF2及びＦB2を取り出すことが出来る。
【００２６】
上述の説明では矩形バッフル板２を略中心で上下の２領域に分割したが矩形バッフル板２の長辺と平行に開口部５の中心Ｏ或はスピーカ３の中心Ｏを通ってバッフル板２の垂直面と直交する様に仕切板４を仮想線で示す様に固定し、スピーカ３を中心に左右の領域に２分割する様にすればスピーカ３の開口部５からの前方へ放射される音響放射エネルギーＦF の他に少なくとも仕切板４の左側の領域からバッフル板２の左側端及び上下端を経て前方及び後方に放射される音響放射エネルギーと仕切板の右側の領域から放射される音響放射エネルギーを取り出すことが出来る。
【００２７】
勿論、上述の横及び縦に十字状に設けた２つの仕切板４及び４によってバッフル板２を４分割する様に成せば仕切の無い場合に比べて１つのスピーカで放音を２倍に増加させることが可能となる。
【００２８】
図２（Ａ）（Ｂ）に示す放音装置１は通常のギターアンプと同様にキャビネット６を横長にし矩形状のバッフル板となる前面板７の中心位置に開口部５を形成しこの開口部５と対向する位置にスピーカ３を固定し、このスピーカ３の中心Ｏを通ってキャビネットの上下側板と平行で且つ前面板７及び背面板の垂直面と直交する様に仕切板４を固定して、キャビネットを上下二つの空間に仕切った上室１１Ｕ及び下室１１Ｄを形成する。
【００２９】
勿論、仕切板４のスピーカ３が当接する部分はスピーカ３のフレーム等の形状に応じてなるべくスピーカ３の外形との間に隙間を生じない様に切り込まれている。
【００３０】
下室１１Ｄの底板にはスピーカ３の真下に第１の開口部８を穿ち、背面板は密閉状態とする。また、上室１１Ｕの背面板には仕切板４に沿って溝状の第２の開口部９を穿って天板は密閉状態とし、略同一容積の上下室１１Ｕ及び１１Ｄを構成する。
【００３１】
上述構成の放音装置１のスピーカ３に図２（Ｃ）の様に入力端ａ，ｂから所定の音響信号入力を加えて、スピーカ３を駆動した場合、スピーカ３の等価的動作は図２（Ｃ）の如く表すことが出来る。
【００３２】
図２（Ｃ）に於いて、キャビネット６のバッフル板を構成する前面板７の開口部５を介して放射される所定時刻の所定周波数に於ける同心円状の前面音響放射エネルギーＦF ＝ｆＥとすると、下室１１Ｄの第１の開口部８から下側に向けて放射される下面放射音響エネルギーＦD はキャビネット６の前面板７側が所定角度持ち上げることで床を介して、前面側に放射される下向前面音響放射エネルギーＦF1及び上室１１Ｕの背面板に穿った第２の開口部９から放射される背面音響放射エネルギーＦB2はスピーカ３の全放射エネルギーｆＥの半分で且つ逆相であるからＦF1＝ＦB2＝−ｆＥ／２となる。
【００３３】
仮に、第１及び第２の開口部から放射されるこれらエネルギーが前面音響放射エネルギーＦF ＝ｆＥと同相であればｆＥ＋｜−ｆＥ／２｜＝１．５ｆＥとなる。仮に逆相であればｆＥ＋（−ｆＥ／２）＝０．５ｆＥとなる。また遅れ波であれば和又は差分波となるが共に１．５ｆＥ＞Ｘ＞０．５ｆＥとなるから、平均的にはＸ＝１．０ｆＥの放射エネルギーが第１及び第２の開口部８及び９より仮想的な２つの駆動スピーカ１２Ｄ及び１２Ｕより放射されていると考えてよい。
【００３４】
本発明のキャビネット６の下室１１Ｄに設けた第１の開口部８は従来の一定狭帯域周波数を中心とした共振を利用して位相反転し、前方に後面エネルギーを放射するバスレフ型を意味するものでなく、下室１１Ｄ及び第１の開口部８を含めて、共鳴拡声体とし、楽器（電気ギター）が発生させた本来の生の音をスピーカ３が忠実に作り出したより多くのエネルギー、この場合は全エネルギーｆＥの半分のエネルギーｆＥ／２を無限大バッフルを構成する床面にぶつけて、前方に放射させ、スピーカ３からの前面放射される音を補強するためのものである。
【００３５】
上述の下室１１Ｄの第１の開口部８から放射される音質について考察すると、本来キャビネット６内でスピーカ３が再生する音質は、スピーカ３が再生可能な全ての周波数を再生しているが、部屋１５（図８参照）内の反射を経て、また第１の開口部８から無限大バッフルを構成する床１８（図８参照）で反射するうちに、高域周波数は主に減衰し、その主な特徴である低域は高域の減衰率に対して相対的に低く、従って、高域に対して、低域及び中域成分が相対的に増強されて放射されている。
特に床１８の面を無限大バッフルに利用する事により、低域再生（中域成分を含む）をその無限大バッフルの特徴から最大限に引き出す事が出来、正面よりスピーカ３が放射している本来の音響に加えてこの床１８の面より放射される低（中）域エネルギーが加わる事により、より低域及び中域帯域を増強する効果を作り出している。
【００３６】
また、上室１１Ｕの第２の開口部９は、下室１１Ｄの様に低域再生に有利な床１８の面による無限大バッフルを持たない為に、主に低域増強の効果は持たない。
【００３７】
然るに、上室１１Ｕに設けた第２の開口部９からは仕切板４の上部がニトロ・セルロース・ラッカによる鏡面仕上げされているので、この仕上効果は、特に高域帯域が反射放射に対して相当な効果を有している。従って上室１１Ｕの第２の開口部９からは主に下室１１Ｄの第１の開口部８から放射される音質に対して相対的に高域（中域を含む）成分の多い周波数の音質放射が成される。
【００３８】
また上室１１Ｕの第２の開口部９からは、第２の開口部９の位置の構造からキャビネット６周囲へ音エネルギーの周り込みが多く発生し、上述した様にラッカの鏡面仕上げによって高音域の乱反射が促進され、本来楽器が持つ各方位への位相の異なる音響放射を達成している。
【００３９】
上述の現象を電気的なスピーカの等価回路として記せば図２（Ｃ）の様に表すことが出来る。これらＲ，Ｃ1 ，Ｃ2 の値はキャビネットのサイズ形態で異なるから、放音装置を使用する者の目的により電気的等価回路の諸定数が求められることに成る。
【００４０】
次に、図３乃至図６によって、本発明の１形態例を示すギターアンプの放音装置１の詳細な構成を説明する。図３は放音装置１の側断面図、図４は一部を断面とする背面図、図５は一部を断面とする底面図、図６は一部を断面とする仕切板の平面図である。尚図２（Ａ）（Ｂ）との対応部分には同一符号を付す。
【００４１】
図３乃至図６に於いて、キャビネット６は横長の直方体状に形成され、バッフル板を構成する矩形状の前面板７の中心にはスピーカ３の口径と略同径の開口部５が穿たれてスピーカ３を開口部５に対向させる様に固定されている。
キャビネット６は長方形状の板材から成る天板６Ｕ、底板６Ｄ、左右側板６Ｌ，６Ｒ、第１及び第２の背面板６Ｂ1 ，６Ｂ2 から成り、これら各板材を略箱型に木材で構成されている。
【００４２】
本発明のキャビネット６に用いる材質は従来の１８ｍｍ以上の米松単板とは異なり、厚みを１４ｍｍ程度に選択したメルクシ松（ラオス松）集合材が用いられる。このメルクシ松集合材は軽い質量で共振周波数が分散しているのでキャビネット６をバイオリンの胴部と同様に最大振幅時に天板６Ｕ、底板６Ｄ、左右側板６Ｌ，６Ｒ、第１及び第２の背面板６Ｂ1 ，６Ｂ2 、後述する仕切板４等が適当に撓む様に設計している。
【００４３】
キャビネット６内には図３及び図６に示す様な仕切板４が固定される。この仕切板４は開口部５或はスピーカ３の中心Ｏを通り、天板６Ｕ及び底板６Ｄと平行に、且つ前面板７及び第１の背面板６Ｂ2 並びに左右側板６Ｌ，６Ｒの内側面と直交する様に固定され、略同一容積を有する上室１１Ｕと下室１１Ｄから成る２つの空間に分割する。
【００４４】
仕切板４は図６に示す様に略長方形状の仕切板４の前端部をスピーカ３のフレーム１２に沿って略漏斗状の切込部１３が形成されている。この切込部１３とスピーカ３のフレーム１２との隙間１４はなるべく小さくとる様にし、最大５ｍｍ以下に抑える様に成されている。
【００４５】
キャビネット６の底板６Ｄは図３及び図５に示す様にスピーカ３の真下に第１の開口部８が穿たれる。この第１の開口部８の形状は、底辺が前面板７側に上辺が背面板６Ｂ2 側になる漏斗状の等脚台形と成され、大きな面積（例えば底辺２５ｃｍ×上辺２０ｃｍ×高さ５ｃｍ）を有する。
【００４６】
上述の等脚台形を有する第１の開口部８の面積は使用されるスピーカ３に依存し、略３０ｃｍの口径を有するスピーカ３の振動板１０の水平断面積の約８０％に相当する。この場合、振動板１０の水平断面積と同一以上に大きく（例えば１５０％以上）なると放射エネルギーの放射速度が遅くなり、第１の開口部８から放射されるエネルギー中に高音成分を含有する様になる。一方、振動板１０の水平断面積の約５０％程度に第１の開口部８の面積を小さくすると、バスレフと同様の効果を生ずることを確認している。本発明は上述した様にバスレフとして機能させるのではなく、放射スピードが早く、共振周波数範囲を広くなる様に音響放射エネルギーの絞り効果を得る目的に用いられる。
【００４７】
下室１１Ｄの背面は図３及び図４に示す様に底板６Ｄと同一厚の第２の背面板６Ｂ2 によって、仕切板４から下段を後面密閉する様に成されている。実際には図４に示す様に左右側板６Ｌ，６Ｒ近傍で仕切板４より突出した左右突出部１６Ｌ及び１６Ｒが形成されている。
【００４８】
更に、上室１１Ｕは図３及び図４に示す様に天板６Ｕは仕切板４と同一厚の板材で覆うと共に仕切板４に沿って第２の開口部９を第１の背面板６Ｂ1 に形成する。
【００４９】
第２の開口部９の開口形状は左右側板６Ｌ及び６Ｒ近傍で狭く、中心部で幅広の略長方形状と成される。この第２の開口部９を得るため第２の背面板６Ｂ2 よりやや薄手の長方形状板材の下端に突出部１６Ｌ及び１６Ｒと対向する左右位置に突出部１７Ｌ及び１７Ｒを形成して上室１１Ｕで得られた略１．０ｆＥの音響放射エネルギーを第２の開口部９から放射する様に成されている。この様にキャビネット６の背面側からみて、左右側板６Ｌ及び６Ｒ近傍で狭く、中心部で広く成された形状とする理由はスピーカ３の中心部ではマグネットや下側ヨークの為に左右側板６Ｌ及び６Ｒ側より第２の開口部９に放射される放射エネルギーＦB2が小さくなる為と左右側板６Ｌ及び６Ｒ近傍で放射される放射エネルギーＦB2の絞り効果を高めるためのものである。
【００５０】
また、上述のキャビネット６を構成する天板６Ｕ、左右側面板６Ｌ及び６Ｒ、底板６Ｄの外表面並びに仕切板４の上面（上室１１Ｕ側）及び上室１１Ｕの内壁にはニトロ・セルロース・ラッカを塗布して鏡面に仕上げる様に成すことで、バイオリンの胴体と同様にキャビネット６の周辺に囲い込んだ高音域を反射させ、倍音再生を可能とし、高域再生能力を向上させている。
【００５１】
更に、第１及び第２の開口部８及び９を構成する周辺部やキャビネット６を構成する天板６Ｕ、底板６Ｄ、左右側面板６Ｌ及び６Ｒの各辺縁には所定のＲを形成し、音響放射エネルギーの乱反射効果を平滑化する配慮も成されている。
【００５２】
次に、図７及び図８を用いて、本発明の一実施例を示す放音装置を詳記する。図７は使用状態を示す側断面図、図８は音波放射状態を説明するための概略図である。
【００５３】
図７の放音装置１はキャビネット６の底板６Ｄの前部に折り畳み自在に脚１５を枢着し、脚１５を開脚した時のキャビネット６の底板６Ｄと床１８間の角度θ＝１５°と成る様に選択する。また、キャビネット６を構成する天板６Ｕ及び底板６Ｄの短辺方向の長さを変えて、第１の背面板６Ｂ1 は前面板７とは平行ではない構成として第２の開口部９から放射される中高域の周り込みを高める様に成されている。
【００５４】
キャビネット６を２分割する仕切板４の上室１１Ｕと下室１１Ｄの空間の容積は略等しくなる様に選択され、底板６Ｄの奥行寸法（矩形状の短辺）＝２４０ｍｍ、長辺＝５２０ｍｍ、キャビネット６の高さ＝３７５ｍｍでキャビネット６及び仕切板４を構成するメルクシ松集合材厚は１４ｍｍと成されている。
【００５５】
前面板７に取り付けられる１個のスピーカ３の口径は３０ｃｍで動電型のスピーカが選択される。
【００５６】
底板６Ｄに穿たれる第１の開口部８の等脚台形の底辺は２６０ｍｍ、上辺は２１０ｍｍ、高さは５０ｍｍで底辺位置はスピーカ３のフレーム取付位置から４０ｍｍ後退した位置から開口している。
【００５７】
仕切板４のスピーカ３のフレーム１２に沿って形成した漏斗状の切込部１３とフレーム１２間の隙間は３ｍｍと成し、第１の背面板６Ｂ1 と仕切板４間に形成した第２の開口部９の幅広部の長さは３７２ｍｍ×幅７７ｍｍであり、左右側面板６Ｌ及び６Ｒ近傍に形成した幅狭部の長さは夫々６０ｍｍ×幅３７ｍｍに選択されている。
【００５８】
上述の放音装置１を所定の部屋１９の所定位置に開脚状態でスピーカ３の開口部５を床１１Ｄから１５°上向きに配置した状態の放音図を図８に示す。
【００５９】
図８の放音装置１でスピーカ３を駆動した場合、スピーカ３の開口部５を介して斜め上方に正面０°、±１５°で示す同心円状の音響エネルギーが放射され、±３０°の放射波は床１８と天井２０で反射される。通常のギターアンプのスピーカ３では周波数特性は１６０Ｈｚ〜２０００Ｈｚで８０〜１００Ｈｚ程度に低域共振周波数ｆ0 を有し高域及び低域レベルを上昇させる様な周波数特性補正が成されている。
【００６０】
また、下室１１Ｄの第１の開口部８からの例えば１．０ｆＥの放射エネルギーを有する中、低倍音を床１８に反射させた−１５°の床反射波が得られる。この場合、第１の開口部８から放射される低域倍音は床１８を無限大バッフルとして前方の聴視者側に到達する。
【００６１】
一方、上室１１Ｕの第１の背面板６Ｂ1 に穿った第２の開口部９からは上室１１Ｕの天板６Ｕと仕切板４間で反射された、例えば１．０ｆＥの放射エネルギーを有する中、高音域を壁面２１や天井２０で反射された壁面反射波−Ａや壁面・天井反射波−Ｂ等がより前方の聴視者側に音響放射される。
【００６２】
本発明では上述の様にスピーカ３の開口部５及び第１及び第２の開口部８及び９から放射される音の位相は、同位相波、逆位相波、遅延波が空間（部屋１９）に放射されて合成された最終合成波を聴視者が聞いて、楽器（放音装置１）が作り出した音色としてとらえる立場に立脚している。
【００６３】
本発明によればスピーカ３の正面、第１及び第２の開口部の３ヶ所から音響エネルギー放射を行ない合わせてラッカ等でキャビネット６の外表面や仕切板４を鏡面仕上げしたので各方位への音響放射を促進することが出来て、放音装置１から生成される音響は、楽器と同様に豊かな倍音変化を持ち、かつ位相の異なる音響を各方位へ効率良く反射し、総合的には、楽器同様、音場表現が豊かなスピーカ３を利用した放音装置１として利用出来る特徴を有する。
【００６４】
上述の本発明では仕切板４でキャビネット６内の空間を上室１１Ｕと下室１１Ｄに２分割した場合を説明したが、仕切板４とスピーカ３のフレーム１２との間にはどうしても隙間１４を発生する。また、フレーム１２と振動板１０との間にも隙間を有するため当然上室１１Ｕと下室１１Ｄ間では空気の出入りが出来るが、スピーカ３の振幅が最大振幅に近づく程、上室１１Ｕと下室１１Ｄの空気移動は、エアーカーテンと同じ様に少なくなり、実質的に上下２段分割使用は可能となる。
【００６５】
つまり大きな音を出している時は、スピーカ３の通常振幅が大きいので、それにより作り出される空気の運動力（キャビネット６に対して前後運動力）が上室１１Ｕと下室１１Ｄの隙間１４を通り抜ける空気の移動力より勝ると考えられる。
これにより、上下に分割仕切りされたそれぞれの空間は、それぞれ１００％密閉された状態では無いが、通常駆動時には７０から８０％の密閉率を持つと予測される。
【００６６】
上述の図７で説明した放音装置のスピーカ３を駆動し、所定空間内で放音させて試聴した場合
イ）大きな位相の乱れは、無い。
ロ）第１及び第２の開口部の両端からよりエネルギー放射が有る。
ハ）その放射空気は、３から４Ｈｚの揺らぎを持っている。
ニ）キャビネット６から３，４ｍ離れた通常の演奏位置では、低域から中域にかけて確かに補正、増強されている。
ホ）床面がジュータンより板張りの方が効果が有る。
ヘ）開放口をふさぐと、全く効果が出ない。
ト）また１５度の傾斜角度で最も楽器的な豊かな音を再生するが１５度を上下しても、最大効果点の変化はない。
ニトロ・セルロース・ラッカによる鏡面仕上げにより；
チ）放射された音波がキャビネットの外周を回る時に心地よい高域の響き＝乱反射を起こす。
リ）仕切板上段、上面もまた、後部に放射される音響エネルギーの半分を効率良く後部に反射放射して、（設置される環境にもよるが）音場形成をより“楽器の響き”として助長している。
【００６７】
従って、従来の布張りまたは各種レザー張りされ高域反射を極力抑えた従来のギターアンプと比較して、本発明の放音装置１は、楽器としての十分な響きを再生している。
【００６８】
上述の構成ではキャビネット６内を上下、或は左右に２分割した場合について説明したが、図９乃至図１１によって、本発明の他の形態例の放音装置を詳記する。
【００６９】
図９（Ａ）（Ｂ）は一部を断面とする正面図及び側断面図であり、キャビネット４内を４分割した場合であり、１個のスピーカ３の中心Ｏを通って天板６Ｕと底板６Ｄと平行で、且つ左右側板６Ｌ，６Ｒの内面と直交する様に固定した第１の仕切板４と同じくスピーカ３の中心Ｏを通って、左右側板６Ｌ，６Ｒと平行で、且つ天板６Ｕ及び底板６Ｄ内壁面と直交する第２の仕切板２３を正面からみて十字状に固定し、キャビネット６内を第１象限乃至第４象限の空間領域に分割し、第１及び第２象限の上室側の第１の背面板６Ｂ1 に夫々第２の開口部９ａ及び９ｂを形成し、第３象限及び第４象限の空間領域を有する下室の底板６Ｄに夫々、第１の開口部８ａ及び８ｂを形成したものである。この構成ではスピーカ３の正面からの放射音の他に背面板６Ｂ1 からの２つの放射音及び底板からの２つの放射音を取り出し、これら放音信号を空間内で合成させることが可能と成る。
【００７０】
図１０（Ａ）は一部を断面とする正面図、図１０Ｂは図１０（Ａ）のＡ方向の一部を断面とする矢視図であり、キャビネット６の形状を正立方体形状と成したものである。
【００７１】
図１０（Ａ）（Ｂ）では仕切板４は図１０（Ａ）の対角線に２分割し上下（或は左右）に三角柱状の空間領域を形成し、夫々の底面６Ｄ及び背面６Ｂ1 に第１及び第２の開口部８及び９を形成した場合である。この場合、図１０（Ａ）の仮想線で示す様に２枚の仕切板４をＸ字状に対角線に沿って配設し、４等分して三角柱状の第１乃至第４象限空間２８ａ〜２８ｄを形成し、第３空間２８ｃの左側板に第１の開口部８を形成する様にしてもよい。
【００７２】
図１１は円筒状のキャビネット６の前面板７に１個のスピーカ３を固定し、４枚の仕切板４ａ，４ｂ，４ｃ，４ｄで円筒状のキャビネット６の空間領域を８等分したものであり、各空間領域の側壁側に第１の開口部８ａ乃至８ｈを形成し背面板６Ｂに第２の開口部９ａ乃至９ｈを形成し、計１７個所から音響放射を行なう様になしたものである。
【００７３】
図１１（Ｂ）はドーム状のキャビネットをドーム部で上下に仕切って、ドーム部２５内の容積空間と円筒部２６の容積空間を異ならせた場合を示している。
【００７４】
上述の構成ではギターアンプの放音装置について詳記したが、本発明はＣＤ等を再生するスピーカボックスに適用し、音響放射と倍音再生特性を持った響きが豊かなスピーカボックスとしコンサートホール等が持つ音楽的表現豊かな響きを再現させる様にしてもよい。
【００７５】
また、キャビネットの形状については例えばバイオリン等の楽器と同一形状を有するものとし、キャビネット６が有する形状で定まる倍音生成機能、各方位放射機能、響き機能を利用する様にしてもよい。この場合、本発明の仕切板をバイオリンの力木等に対応させることが可能と成る。
【００７６】
【発明の効果】
本発明の放音装置によれば
ａ）単一のスピーカを上下、左右等で仕切ることで少なくとも２領域の空間領域に分割可能で分割空間領域から中高域及び中低域を拡散増強させた放音装置を得ることが出来る。
ｂ）床面から１５度の角度で持ち上げられた、第１の床面開放口から音響エネルギーを前面に向けて放射し、スピーカ前面から放射される本来の音を補正、増強することが出来る。
ｃ）天板、左右側板の外周及び仕切板上面をニトロ・セルロース・ラッカ鏡面仕上げし、高域の反射放射効率をより高め、楽器本来が持つ倍音再生を誘発し、楽器の固有音色を再生することが出来る。
ｄ）背面板に設けた開口部からは、仕切板を反射板として、後部の壁面等へより音響エネルギーを放射して“楽器の本来持つ音場”再生を増強することが出来る等の特徴を有する。
【図面の簡単な説明】
【図１】本発明の放音装置の１形態例を示す正面及び一部側断面図である。
【図２】本発明の放音装置の一形態例を示す一部を断面とする正面図及び側断面図並びに等価回路図である。
【図３】本発明の放音装置の一形態例を示す一部を断面とする側面図である。
【図４】本発明の放音装置の一形態例を示す一部を断面とする底面図である。
【図５】本発明の放音装置の一形態例を示す一部を断面とする仕切板を示す平面図である。
【図６】本発明の放音装置の一形態例を示す一部を断面とする背面図である。
【図７】本発明の放音装置の一実施例を示す一部を断面とする側面図である。
【図８】本発明の放音装置の放音状態説明図である。
【図９】本発明の放音装置の他の形態例を示す一部を断面とする正面図及び側面図である。
【図１０】本発明の放音装置の更に他の形態例を示す一部を断面とする正面図及び側面図である。
【図１１】本発明の放音装置の更に他の形態例を示す一部を断面とする正面図である。
【符号の説明】
１‥‥放音装置、２‥‥バッフル板、３‥‥スピーカ、４‥‥仕切板、５‥‥開口部、６‥‥キャビネット、７‥‥前面板、８‥‥第１の開口部、９‥‥第２の開口部、１０‥‥振動板、１１Ｕ‥‥上室、１１Ｄ‥‥下室
【図１】
0003929808.tif 000002
【図２】
0003929808.tif 000003
【図３】
0003929808.tif 000004
【図４】
0003929808.tif 000005
【図５】
0003929808.tif 000006
【図６】
0003929808.tif 000007
【図７】
0003929808.tif 000008
【図８】
0003929808.tif 000009
【図９】
0003929808.tif 000010
【図１０】
0003929808.tif 000011
【図１１】
0003929808.tif 000012